【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
ディスプレイ装置上の反射を補正するための方法であって、
前記ディスプレイ装置に面するシーンの１つまたは複数の画像を取り込む工程と、
前記ディスプレイ装置に面する前記シーン内に位置する１つまたは複数の反射誘導ゾーンを前記取り込み画像から特定する工程と、
前記反射誘導ゾーンによって引き起こされる、前記ディスプレイ装置に対する鏡面反射効果を決定する工程と、
前記決定された鏡面反射効果に基づいて、前記ディスプレイ装置上に表示される対象画像を調整する工程と、
を含む方法。
【請求項２】
前記対象画像を調整する工程が、前記対象画像の１つまたは複数の領域内の複数の画像ピクセルの輝度値を調整する工程を含み；
前記対象画像の領域が、前記反射誘導ゾーンから決定される、請求項１に記載の方法。
【請求項３】
前記１つまたは複数の反射誘導ゾーンが、前記１つまたは複数の取り込み画像内のピクセルの輝度値に基づいて決定される、請求項１または２に記載の方法。
【請求項４】
前記１つまたは複数の反射誘導ゾーンが、規定の閾値よりも大きい輝度値を有する前記１つまたは複数の取り込み画像内のエリアに相当する、請求項３に記載の方法。
【請求項５】
請求項４に記載の方法であって、前記ディスプレイ装置に面する前記シーンの前記１つまたは複数の画像を取り込む工程が、前記シーン内に位置する視聴者の顔を取り込む工程を含み、
前記規定の閾値が、前記視聴者の顔の一部分に相当する１つまたは複数の取り込み画像内のゾーンの輝度値に基づいて決定される、方法。
【請求項６】
請求項１〜５のいずれか一項に記載の方法であって、前記取り込み画像から、前記ディスプレイ装置を見ている前記視聴者の位置を決定する工程をさらに含み、
前記反射誘導ゾーンによって引き起こされる前記ディスプレイ装置への前記反射効果が、前記視聴者の位置および前記ディスプレイ装置からの前記反射誘導ゾーンの各々の距離に基づいて決定される、方法。
【請求項７】
前記シーン内の１つまたは複数の発光オブジェクトの所定のプロパティを受信する工程と、
１つまたは複数の前記反射誘導ゾーンを、相当する１つまたは複数の発光オブジェクトとマッチングさせる工程と、
前記複数の反射誘導ゾーンと前記相当する複数の発光オブジェクトの前記所定のプロパティとによって引き起こされる、前記ディスプレイ装置に対する前記鏡面反射効果を決定する工程と、
前記決定された鏡面反射効果に基づいて、前記ディスプレイ装置上に表示される前記対象画像を調整する工程と、をさらに含む、請求項１〜６のいずれか一項に記載の方法。
【請求項８】
前記シーン内に位置する前記１つまたは複数の発光オブジェクトの前記所定のプロパティが、各発光オブジェクトの位置、所定の輝度値、およびサイズのうちの１つまたは複数を含む、請求項１に記載の方法。
【請求項９】
前記ディスプレイ装置からの前記１つまたは反射誘導ゾーンの各々の距離を前記複数の発光オブジェクトの前記所定のプロパティに基づいて決定する工程を更に含む、請求項６に記載の方法。
【請求項１０】
前記複数の発光オブジェクトは自動車のキャビンにあり、前記ディスプレイ装置は前記自動車の前記キャビン中の固定位置に位置する、請求項５〜７のいずれかに記載の方法。
【請求項１１】
前記シーン内に位置する遮蔽要素を特定する工程をさらに含む、請求項７〜１０のいずれかに記載の方法。
【請求項１２】
前記反射効果が、前記ディスプレイ装置に面する前記シーン内に位置する反射誘導ゾーンに起因して前記ディスプレイ装置上に示される１つまたは複数の反射ゾーンの位置および画像ピクセルの輝度値を定義し、
前記対象画像を調整する工程が、決定された反射効果に従って前記対象画像内の輝度値を調整する工程を含む、請求項１〜１１のいずれか一項に記載の方法。
【請求項１３】
輝度値を調整する工程が、１つまたは複数の反射ゾーンのうちの所与の１つに相当する前記対象画像のエリアに対して、
前記エリアの１つまたは複数のサブエリアであって、前記対象画像のピクセルの輝度値が前記反射ゾーンの相当するサブエリアにおける前記反射効果の輝度値より大きいサブエリアに対して、前記１つまたは複数のサブエリア内のピクセルの輝度値を減少させる工程と、
前記エリアの１つまたは複数のサブエリアであって、前記サブエリアにおける前記対象画像のピクセルの輝度値が前記反射ゾーンの相当するサブエリアにおける前記反射効果の輝度値より小さいサブエリアに対して、前記１つまたは複数のサブエリア内のピクセルの輝度値を増加させる工程と、
を含む、請求項１２に記載の方法。
【請求項１４】
請求項１１に記載の方法において、
前記所与の１つまたは複数の反射ゾーンに相当する前記対象画像における前記エリア内の前記複数のピクセル値が
Ｌ´＝（ｍＬ−Ｖ）／ｋ
に基づいて調整され、
Ｌ´＝前記エリアにおける前記対象画像のピクセルの調整した輝度値、
Ｌ＝前記エリアにおける前記対象画像のピクセルの元の輝度値、
Ｖ＝前記反射ゾーンの相当するエリアにおける相当するピクセルの前記反射効果の輝度値、
Ｌｌｏｗ≧Ｖａｖｇの場合ｍ＝１、そうでなければｍｉｎ（Ｖａｖｇ／Ｌｌｏｗ，（Ｖａｖｇ＋ｋ）／Ｌｈｉｇｈ）、
Ｖａｖｇ＝前記反射ゾーンの相当するエリアにおける前記相当するピクセルの前記反射効果の輝度値の局所平均、
Ｌｌｏｗ＝前記エリアにおける前記対象画像のピクセルの元の輝度値の極小値、
Ｌｈｉｇｈ＝前記エリアにおける前記対象画像のピクセルの元の輝度値の極大値、
ｋ＝１．０以上のヘッドルーム値
である、方法。
【請求項１５】
前記ディスプレイ装置に面する前記シーンの前記１つまたは複数の画像が、前記ディスプレイ装置から既知の距離および向きだけオフセットされた正面カメラによって取り込まれる、請求項１〜１４のいずれか一項に記載の方法。
【請求項１６】
前記対象画像を調整する工程が、前記ディスプレイ装置の所定の反射率にさらに基づく、請求項１〜１５いずれか一項に記載の方法。
【請求項１７】
少なくとも１つのデータ記憶装置と、
前記少なくとも１つの記憶装置に動作可能に結合された少なくとも１つのプロセッサとを含むコンピュータシステムであって、
前記少なくとも１つのプロセッサが、
前記ディスプレイ装置に面するシーンの１つまたは複数の取り込み画像を受信する工程と、
前記ディスプレイ装置に面する前記シーン内に位置する１つまたは複数の反射誘導ゾーンを前記取り込み画像から特定する工程と、
前記反射誘導ゾーンによって引き起こされる、前記ディスプレイ装置に対する鏡面反射効果を決定する工程と、
前記決定された鏡面反射効果に基づいて、前記ディスプレイ装置上に表示される対象画像を調整する工程とを実行するように構成される、
コンピュータシステム。
【請求項１８】
前記対象画像を調整する工程が、前記対象画像の１つまたは複数の領域内の複数の前記画像ピクセルの輝度値を調整する工程を含み、
前記対象画像の領域が、前記反射誘導ゾーンから決定される、請求項１７に記載のシステム。
【請求項１９】
前記１つまたは複数の反射誘導ゾーンが、前記１つまたは複数の取り込み画像内のピクセルの輝度値に基づいて決定される、請求項１７または１８に記載のシステム。
【請求項２０】
前記１つまたは複数の反射誘導ゾーンが、規定の閾値よりも大きい輝度値を有する前記１つまたは複数の取り込み画像内のエリアに相当する、請求項１９に記載のシステム。
【請求項２１】
請求項２０に記載のシステムであって、前記ディスプレイ装置に面する前記シーンの前記１つまたは複数の取り込み画像が、前記シーン内に位置する視聴者の顔の１つまたは複数の取り込み画像を含み、
前記規定の閾値が、前記視聴者の顔の一部分に相当する１つまたは複数の取り込み画像内のゾーンの輝度値に基づいて決定される、システム。
【請求項２２】
請求項１７〜２１のいずれか一項に記載のシステムであって、前記プロセッサが、前記取り込み画像から、前記ディスプレイ装置を見ている前記視聴者の位置を決定するようにさらに構成されており、
前記反射誘導ゾーンによって引き起こされる前記ディスプレイ装置への前記反射効果が、前記視聴者の位置および前記ディスプレイ装置からの前記反射誘導ゾーンの各々の距離に基づいて決定される、システム。
【請求項２３】
請求項１７〜２２のいずれか一項に記載のシステムであって、前記プロセッサが、
前記シーン内の１つまたは複数の発光オブジェクトの所定のプロパティを受信する工程と、
１つまたは複数の前記反射誘導ゾーンを、相当する１つまたは複数の発光オブジェクトとマッチングさせる工程と、
前記複数の反射誘導ゾーンと前記相当する複数の発光オブジェクトの前記所定のプロパティとによって引き起こされる、前記ディスプレイ装置に対する前記鏡面反射効果を決定する工程と、
前記決定された鏡面反射効果に基づいて、前記ディスプレイ装置上に表示される前記対象画像を調整する工程とを実行するように構成される、システム。
【請求項２４】
前記シーン内に位置する前記１つまたは複数の発光オブジェクトの前記所定のプロパティが、各発行オブジェクトの位置、所定の輝度値、およびサイズのうちの１つまたは複数を含む、請求項２３に記載のシステム。
【請求項２５】
請求項２４に記載のシステムであって、前記プロセッサが、
前記ディスプレイ装置からの前記１つ又は複数の反射誘導ゾーンの各々の距離を前記複数の発光オブジェクトの前記所定のプロパティに基づいて決定する工程を更に実行するように構成される、システム。
【請求項２６】
請求項２３〜２５のいずれか一項に記載のシステムであって、
前記複数の発光オブジェクトは自動車のキャビンにあり、前記ディスプレイ装置は前記自動車の前記キャビン中の固定位置に位置する、システム。
【請求項２７】
前記プロセッサが、前記シーン内に位置する遮蔽要素を特定するようにさらに構成されている、請求項２３〜２６のいずれかに記載のシステム。
【請求項２８】
前記反射効果が、前記ディスプレイ装置に面する前記シーン内に位置する反射誘導ゾーンに起因して前記ディスプレイ装置上に示される１つまたは複数の反射ゾーンの位置および画像ピクセルの輝度値を定義し、
前記対象画像を調整する工程が、決定された反射効果に従って前記対象画像内の輝度値を調整する工程を含む、請求項１７〜２７のいずれか一項に記載のシステム。
【請求項２９】
輝度値を調整する工程が、１つまたは複数の反射ゾーンのうちの所与の１つに相当する前記対象画像のエリアに対し、
前記エリアの１つまたは複数のサブエリアであって、前記対象画像のピクセルの輝度値が前記反射ゾーンの相当するサブエリアにおける前記反射効果の輝度値より大きいサブエリアに対して、前記１つまたは複数のサブエリア内のピクセルの輝度値を減少させる工程と、
前記エリアの１つまたは複数のサブエリアであって、前記サブエリアにおける前記対象画像のピクセルの輝度値が前記反射ゾーンの相当するサブエリアにおける前記反射効果の輝度値より小さいサブエリアに対して、前記１つまたは複数のサブエリア内のピクセルの輝度値を増加させる工程とを含む、
請求項２３に記載のシステム。
【請求項３０】
請求項２９に記載のシステムにおいて、
前記所与の１つまたは複数の反射ゾーンに相当する前記対象画像における前記エリア内の前記複数のピクセル値が
Ｌ´＝（ｍＬ−Ｖ）／ｋ
に基づいて調整され、
Ｌ´＝前記エリアにおける前記対象画像のピクセルの調整した輝度値、
Ｌ＝前記エリアにおける前記対象画像のピクセルの元の輝度値、
Ｖ＝前記反射ゾーンの相当するエリアにおける相当するピクセルの前記反射効果の輝度値、
Ｌｌｏｗ≧Ｖａｖｇの場合ｍ＝１、そうでなければｍｉｎ（Ｖａｖｇ／Ｌｌｏｗ，（Ｖａｖｇ＋ｋ）／Ｌｈｉｇｈ）、
Ｖａｖｇ＝前記反射ゾーンの相当するエリアにおける前記相当するピクセルの前記反射効果の輝度値の局所平均、
Ｌｌｏｗ＝前記エリアにおける前記対象画像のピクセルの元の輝度値の極小値、
Ｌｈｉｇｈ＝前記エリアにおける前記対象画像のピクセルの元の輝度値の極大値、
ｋ＝１．０以上のヘッドルーム値
である、システム。
【請求項３１】
前記ディスプレイ装置に面する前記シーンの前記１つまたは複数の画像が、前記ディスプレイ装置から既知の距離および向きだけオフセットされた正面カメラによって取り込まれる、請求項１７〜３０のいずれか一項に記載のシステム。
【請求項３２】
前記対象画像を調整する工程が、前記ディスプレイ装置の所定の反射率にさらに基づく、請求項１７〜３１のいずれか一項に記載のシステム。
【請求項３３】
少なくとも１つのプロセッサで実行されたときに、前記少なくとも１つのプロセッサに請求項１〜１６のいずれか一項に記載の方法を実施させるコンピュータ実行可能命令を含む、非一時的コンピュータ可読記憶媒体。